(57)【要約】【課題】本発明は、画面の転換が急激に行われる場合、不必要な放電セルの選択を防止するプラズマディスプレイ装置及びその駆動方法を提供する。【解決手段】電極を含むプラズマディスプレイパネルと、第１フレームの映像データと第２フレームの映像データロードの変化量が臨界値より大きいと、前記第１フレームで供給される第１リセットパルスによるリセット放電よりさらに大きいリセット放電を起こす第２リセットパルスを前記第２フレームで前記電極に供給する駆動部を含むプラズマディスプレイ装置。【選択図】図１
2007122063.tif 000002
【特許請求の範囲】
【請求項１】
電極を含むプラズマディスプレイパネルと、
第１フレームの映像データと第２フレームの映像データロードの変化量が臨界値より大きいと、前記第１フレームで供給される第１リセットパルスによるリセット放電よりさらに大きいリセット放電を起こす第２リセットパルスを前記第２フレームで前記電極に供給する駆動部を含むプラズマディスプレイ装置。
【請求項２】
前記第１フレームの映像データのロードと前記第２フレームの映像データのロードのうち大きい値に対する前記臨界値の比は０．２以上であることを特徴とする請求項１に記載のプラズマディスプレイ装置。
【請求項３】
前記変化量は、
前記第１フレームで各サブピクセルに該当する階調値の合計と前記第２フレームで各サブピクセルに該当する階調値の合計との差であることを特徴とする請求項１に記載のプラズマディスプレイ装置。
【請求項４】
前記変化量は、
前記第１フレームで各ピクセルに該当する平均階調値の合計と前記第２フレームで各ピクセルに該当する平均階調値の合計との差であることを特徴とする請求項１に記載のプラズマディスプレイ装置。
【請求項５】
前記駆動部は、
前記第２リセットパルスの上昇勾配又は最高電圧のうち少なくとも一つを前記第１リセットパルスの上昇勾配又は最高電圧のうち少なくとも一つより大きくすることを特徴とする請求項１に記載のプラズマディスプレイ装置。
【請求項６】
前記駆動部は、
前記第１リセットパルス及び前記第２リセットパルスを供給するためのスイッチ部を含み、
該スイッチ部は、第１デューティ比を有した制御信号が入力されて第１リセットパルスを供給し、前記第１デューティ比より大きい第２デューティ比を有した制御信号が入力されて前記第２リセットパルスを供給することを特徴とする請求項１に記載のプラズマディスプレイ装置。
【請求項７】
前記第２リセットパルスの最高電圧は、前記第１リセットパルスの最高電圧より高いことを特徴とする請求項６に記載のプラズマディスプレイ装置。
【請求項８】
前記駆動部は、
前記第２フレームの全体サブフィールドのうち少なくとも一つのサブフィールドで前記第２リセットパルスを供給することを特徴とする請求項１に記載のプラズマディスプレイ装置。
【請求項９】
前記第１フレーム及び前記第２フレームは、連続したフレームであることを特徴とする請求項１に記載のプラズマディスプレイ装置。
【請求項１０】
前記変化量は、第１フレームの映像データのＡＰＬと前記第２フレームの映像データのＡＰＬとの差であることを特徴とする請求項１に記載のプラズマディスプレイ装置。
【請求項１１】
電極を含むプラズマディスプレイ装置の駆動方法において、
第１フレームの映像データと第２フレームの映像データロードの変化量を計算する段階と、
前記変化量と臨界値とを比較する段階と、
前記変化量が前記臨界値より大きいと、前記第１フレームで供給される第１リセットパルスによるリセット放電よりさらに大きいリセット放電を起こす第２リセットパルスを前記第２フレームで前記電極に供給する段階を含むプラズマディスプレイ装置の駆動方法。
【請求項１２】
前記第１フレームの映像データのロードと前記第２フレームの映像データのロードのうち大きい値に対する前記臨界値の比は、０．２以上であることを特徴とする請求項１１に記載のプラズマディスプレイ装置の駆動方法。
【請求項１３】
前記変化量は、
前記第１フレームで各サブピクセルに該当する階調値の合計と前記第２フレームで各サブピクセルに該当する階調値の合計との差であることを特徴とする請求項１１に記載のプラズマディスプレイ装置の駆動方法。
【請求項１４】
前記変化量は、
前記第１フレームで各ピクセルに該当する平均階調値の合計と前記第２フレームで各ピクセルに該当する平均階調値の合計との差であることを特徴とする請求項１１に記載のプラズマディスプレイ装置の駆動方法。
【請求項１５】
前記第２リセットパルスの上昇勾配又は最高電圧のうち少なくとも一つは、前記第１リセットパルスの上昇勾配又は最高電圧のうち少なくとも一つより大きいことを特徴とする請求項１１に記載のプラズマディスプレイ装置の駆動方法。
【請求項１６】
第１デューティ比を有した制御信号によって第１リセットパルスが供給され、前記第１デューティ比より大きい第２デューティ比を有した制御信号によって前記第２リセットパルスが供給されることを特徴とする請求項１１に記載のプラズマディスプレイ装置の駆動方法。
【請求項１７】
前記第２リセットパルスの最高電圧は、前記第１リセットパルスの最高電圧より高いことを特徴とする請求項１６に記載のプラズマディスプレイ装置の駆動方法。
【請求項１８】
前記第２フレームの全体サブフィールドのうち少なくとも一つのサブフィールドで前記第２リセットパルスが供給されることを特徴とする請求項１１に記載のプラズマディスプレイ装置の駆動方法。
【請求項１９】
前記第１フレーム及び前記第２フレームは、連続したフレームであることを特徴とする請求項１１に記載のプラズマディスプレイ装置の駆動方法。
【請求項２０】
前記変化量は、第１フレームの映像データのＡＰＬと前記第２フレームの映像データのＡＰＬとの差であることを特徴とする請求項１１に記載のプラズマディスプレイ装置の駆動方法。
【発明の詳細な説明】
【技術分野】
【０００１】
本発明は、プラズマディスプレイ装置及びプラズマディスプレイ装置の駆動方法に関する。
【背景技術】
【０００２】
プラズマディスプレイ装置は、プラズマディスプレイパネルとプラズマディスプレイパネルを駆動するための駆動部を含む。該駆動部が複数個のサブフィールドを含むフレームの間プラズマディスプレイパネルに駆動パルスを供給すると、プラズマディスプレイパネルは映像を表示する。
【０００３】
各サブフィールドは、リセット期間、アドレス期間及びサステイン期間を含む。駆動部は、リセット期間でプラズマディスプレイパネルの放電セルに形成された壁電荷を均一にするためのリセットパルスを供給し、アドレス期間の間ターンオンされる放電セルを選択するためのスキャンパルスとデータパルスを供給し、サステイン期間の間選択されたセルから光が放出されるようにサステインパルスを供給する。
【０００４】
リセット期間でプラズマディスプレイパネルの各放電セルに形成された壁電荷の量が均一ではないと、アドレス期間で供給されるスキャンパルス及びデータパルスによって不必要な放電セルが選択されるか、必要な放電セルが選択されない場合が発生することで、サステイン期間で不必要な放電セルが光を放出するか、必要な放電セルが放出しなくなる。
【０００５】
従って、リセット期間でプラズマディスプレイパネルの各放電セルに形成された壁電荷の量を均一にすることは重要である。
【０００６】
特に、フレーム単位の画面転換が急激に行われる場合、プラズマディスプレイパネルの各放電セルに形成された壁電荷量の不均一性が増加してアドレス期間で不必要な放電セルが選択される可能性が増加する。すなわち、第１フレームの間供給される映像データと第２フレームの間供給される映像データの変化量が大きいと、第１フレームが終わった以後にプラズマディスプレイパネルの各放電セルに形成された壁電荷の状態が第２フレームで急激に変わるために、第１フレーム直後の壁電荷状態が第２フレームで放電セルの壁電荷の状態に影響を及ぼすために、アドレス期間で不必要な放電セルが選択される可能性が大きくなる。
【発明の開示】
【発明が解決しようとする課題】
【０００７】
従って、本発明は、画面の転換が急激に行われる場合、不必要な放電セルの選択を防止するプラズマディスプレイ装置及びその駆動方法を提供することを目的とする。    
【課題を解決するための手段】
【０００８】
本発明の実施形態によるプラズマディスプレイ装置は、電極を含むプラズマディスプレイパネル及び第１フレームの映像データと第２フレームの映像データロードの変化量が臨界値より大きいと、前記第１フレームで供給される第１リセットパルスによるリセット放電よりさらに大きいリセット放電を起こす第２リセットパルスを前記第２フレームで前記電極に供給する駆動部を含むことを特徴とする。
【０００９】
本発明の実施形態によるプラズマディスプレイ装置の駆動方法は、第１フレームの映像データと第２フレームの映像データロードの変化量を計算する段階、前記変化量と臨界値とを比較する段階、前記変化量が前記臨界値より大きいと、前記第１フレームで供給される第１リセットパルスによるリセット放電よりさらに大きいリセット放電を起こす第２リセットパルスを前記第２フレームで前記電極に供給する段階を含むことを特徴とする。
【発明の効果】
【００１０】
本発明のプラズマディスプレイ装置及び駆動方法は、映像データの変化による放電セルの壁電荷状態を均一にできる。
【００１１】
また、本発明のプラズマディスプレイ装置及び駆動方法は、アドレスマージン又はサステインマージンを増加し得る。
【００１２】
また、本発明のプラズマディスプレイ装置及び駆動方法は、製造費用及び製造時間を減らし得るという効果がある。
【発明を実施するための最良の形態】
【００１３】
本発明の実施形態によるプラズマディスプレイ装置は、電極を含むプラズマディスプレイパネル及び第１フレームの映像データと第２フレームの映像データロードの変化量が臨界値より大きいと、前記第１フレームで供給される第１リセットパルスによるリセット放電よりさらに大きいリセット放電を起こす第２リセットパルスを前記第２フレームで前記電極に供給する駆動部を含む。
【００１４】
前記第１フレームの映像データのロードと前記第２フレームの映像データのロードのうち大きい値に対する前記臨界値の比は、０．２以上であることができる。
【００１５】
前記変化量は、前記第１フレームで各サブピクセルに該当する階調値の合計と前記第２フレームで各サブピクセルに該当する階調値の合計との差であることができる。
【００１６】
前記変化量は、前記第１フレームで各ピクセルに該当する平均階調値の合計と前記第２フレームで各ピクセルに該当する平均階調値の合計との差であることができる。
【００１７】
前記駆動部は、前記第２リセットパルスの上昇勾配又は最高電圧のうち少なくとも一つが前記第１リセットパルスの上昇勾配又は最高電圧のうち少なくとも一つより大きいことができる。
【００１８】
前記駆動部は、前記第１リセットパルス及び前記第２リセットパルスを供給するためのスイッチ部を含み、該スイッチ部は、第１デューティ比を有した制御信号が入力されて第１リセットパルスを供給し、前記第１デューティ比より大きい第２デューティ比を有した制御信号が入力されて前記第２リセットパルスを供給することができる。
【００１９】
前記第２リセットパルスの最高電圧は、前記第１リセットパルスの最高電圧より高いことができる。
【００２０】
前記駆動部は、前記第２フレームの全体サブフィールドのうち少なくとも一つのサブフィールドで前記第２リセットパルスを供給することができる。
【００２１】
前記第１フレーム及び前記第２フレームは、連続したフレームであることができる。
【００２２】
前記変化量は、第１フレームの映像データのＡＰＬと前記第２フレームの映像データのＡＰＬとの差であることができる。
【００２３】
本発明の実施形態によるプラズマディスプレイ装置の駆動方法は、第１フレームの映像データと第２フレームの映像データロードの変化量を計算する段階、前記変化量と臨界値とを比較する段階、前記変化量が前記臨界値より大きいと、前記第１フレームで供給される第１リセットパルスによるリセット放電よりさらに大きいリセット放電を起こす第２リセットパルスを前記第２フレームで前記電極に供給する段階を含む。
【００２４】
前記第１フレームの映像データのロードと前記第２フレームの映像データのロードのうち大きい値に対する前記臨界値の比は、０．２以上であることができる。
【００２５】
前記変化量は、前記第１フレームで各サブピクセルに該当する階調値の合計と前記第２フレームで各サブピクセルに該当する階調値の合計との差であることができる。
【００２６】
前記変化量は、前記第１フレームで各ピクセルに該当する平均階調値の合計と前記第２フレームで各ピクセルに該当する平均階調値の合計との差であることができる。
【００２７】
前記第２リセットパルスの上昇勾配又は最高電圧のうち少なくとも一つは、前記第１リセットパルスの上昇勾配又は最高電圧のうち少なくとも一つより大きいことができる。
【００２８】
第１デューティ比を有した制御信号によって第１リセットパルスが供給され、前記第１デューティ比より大きい第２デューティ比を有した制御信号によって前記第２リセットパルスが供給されることができる。
【００２９】
前記第２リセットパルスの最高電圧は、前記第１リセットパルスの最高電圧より低いことができる。
【００３０】
前記第２フレームの全体サブフィールドのうち少なくとも一つのサブフィールドで前記第２リセットパルスが供給されることができる。
【００３１】
前記第１フレーム及び前記第２フレームは、連続したフレームであることができる。
【００３２】
前記変化量は、第１フレームの映像データのＡＰＬと前記第２フレームの映像データのＡＰＬであることができる。
【００３３】
以下、本発明による具体的な実施形態について添付された図面を参照して説明する。
【００３４】
図１は、本発明の第１実施形態によるプラズマディスプレイ装置を示した図である。図１に示したように、本発明の第１実施形態によるプラズマディスプレイ装置は、プラズマディスプレイパネル１００、データ変化量計算部１１０、比較部１２０、制御信号生成部１３０、スキャン駆動部１４０、アドレス駆動部１５０及びサステイン駆動部１６０を含む。
【００３５】
プラズマディスプレイパネル１００は、スキャン電極(Ｙ１〜Ｙｎ)、アドレス電極(Ｘ１〜Ｘｍ)及びサステイン電極(Ｚ１〜Ｚｎ)を含む。
【００３６】
前記変化量計算部１１０は、第１フレームの間に入力される映像データと第２フレームの間に入力される映像データのロードの間の変化量を計算する。映像データのロードは、一つのフレームにおけるＡＰＬやフレームにおける階調値の合計であることができる。これによって本発明の第１実施形態において、前記データ変化量計算部１１０は二つの方式で変化量を計算する。
【００３７】
すなわち、前記データ変化量計算部１１０は、第１フレームの間に入力される映像データのＡＰＬ(Average Picture Level)と第２フレームの間に入力される映像データのＡＰＬを計算し、第１フレームのＡＰＬと第２フレームのＡＰＬとの差を計算することができる。また、前記データ変化量計算部１１０は、第１フレームの間に入力される映像データの階調値の合計と第２フレームの間に入力される映像データの階調値の合計を計算し、第１フレームの階調値の合計と第２フレームの階調値の合計との差を計算する。  
【００３８】
この時、第１フレーム及び第２フレームは、連続したフレームであることができる。すなわち、第１フレームはｎ番目のフレーム又はｎ＋１番目のフレームのうちの一つで、第２フレームは他の一つのフレームであることができる。
【００３９】
前記比較部１２０は、前記変化量計算部１１０から出力された変化量と臨界値(ＴＨ)とを比較し、変化量が臨界値より大きいと、放電制御信号を出力する。例えば、前記比較部１２０が第１フレームのＡＰＬと第２フレームのＡＰＬとの差と臨界値(ＴＨ)とを比較した後、第１フレームのＡＰＬと第２フレームのＡＰＬとの差が臨界値(ＴＨ)より大きいと、放電制御信号を出力することができる。
【００４０】
また、前記比較部１２０は、第１フレームの階調値の合計と第２フレームの階調値の合計との差と臨界値(ＴＨ)とを比較した後、第１フレームの階調値の合計と第２フレームの階調値の合計との差が臨界値(ＴＨ)より大きいと、放電制御信号を出力することができる。第１フレーム及び第２フレームの階調値の合計は、各サブピクセルに該当する階調値の合計であることができる。また、第１フレーム及び第２フレームの階調値の合計は、各ピクセルに該当する平均階調値の合計であることができる。例えば、プラズマディスプレイパネルの画素単位がピクセルで、一つのピクセルは、赤色光を出すＲサブピクセル、緑色光を出すＧサブピクセル及び青色光を出すＢサブピクセルを含む時、前記比較部１２０は、全体のＲサブピクセル、Ｇサブピクセル及びＢサブピクセルのそれぞれに該当する階調値の合計を計算するか、又は一つのピクセルを形成するＲサブピクセル、Ｇサブピクセル及びＢサブピクセルのそれぞれの階調値の平均値を計算して全体のピクセルの階調値の平均値の合計を計算することができる。
【００４１】
この時、第１フレームのＡＰＬ及び第２フレームのＡＰＬのうち大きい値に対する臨界値(ＴＨ)の比が２０%以上になるように臨界値(ＴＨ)が設定されることができる。例えば、第２フレームのＡＰＬが第１フレームのＡＰＬより大きくて第２フレームのＡＰＬが２００である場合、臨界値(ＴＨ)は４０に設定される。これによって第１フレームのＡＰＬが１７０であると、前記比較部１２０は放電制御信号を出力しなく、第１フレームのＡＰＬが１５０であると、放電制御信号を出力する。また、第１フレームの階調値の合計及び第２フレームの階調値の合計のうち大きい値に対する臨界値(ＴＨ)の比が２０%以上になるように臨界値(ＴＨ)が設定されることができる。
【００４２】
また、臨界値(ＴＨ)は特定値に設定することもできる。例えば、臨界値(ＴＨ)が２００に設定され、第１フレームのＡＰＬと第２フレームのＡＰＬとの差が２００以上であると、前記比較部１２０は放電制御信号を出力する。また、臨界値(ＴＨ)が１５００に設定されて第１フレームの階調値の合計と第２フレームの階調値の合計との差が１５００以上であると、前記比較部１２０は放電制御信号を出力する。
【００４３】
前記制御信号生成部１３０は、前記比較部１２０から放電制御信号が入力されると、第１フレームで供給される第１リセットパルスによる放電より強い放電を起こす第２リセットパルスを第２フレームに供給するためのタイミング制御信号を出力する。
【００４４】
前記スキャン駆動部１４０は、第１リセットパルス及び第２リセットパルスをスキャン電極(Ｙ１〜Ｙｎ)に供給する。前記スキャン駆動部１４０は、前記制御信号生成部１３０からタイミング制御信号が入力されて第１リセットパルスの上昇勾配又は最高電圧のうち少なくとも一つより大きい上昇勾配又は最高電圧を有した第２リセットパルスをスキャン電極(Ｙ１〜Ｙｎ)に供給する。すなわち、前記スキャン駆動部１４０は、第１フレームの間に入力される映像データと第２フレームの間に入力される映像データの間の変化量が臨界値より大きい場合、第１リセットパルスの上昇勾配又は最高電圧のうち少なくとも一つより大きい上昇勾配又は最高電圧を有した第２リセットパルスをスキャン電極(Ｙ１〜Ｙｎ)に供給する。例えば、前記スキャン駆動部１４０は、第１リセットパルスの上昇勾配より大きい上昇勾配を有した第２リセットパルスを供給することができる。前記スキャン駆動部１４０は、第１リセットパルスの最高電圧より大きい最高電圧を有した第２リセットパルスを供給することができる。また、前記スキャン駆動部１４０は、第１リセットパルスの上昇勾配及び最高電圧より大きい上昇勾配及び最高電圧を有した第２リセットパルスを供給することができる。
【００４５】
前記アドレス駆動部１５０は、アドレス期間に前記スキャン駆動部１４０が供給するスキャンパルスに同期してデータパルスをデータ電極(Ｘ１〜Ｘｍ)に供給する。このようなアドレス駆動部１５０の動作によってサステイン期間で光が放出される放電セルが選択される。
【００４６】
前記サステイン駆動部１６０は、サステイン期間に前記スキャン駆動部１４０によって供給されるサステインパルスと交番するようにサステインパルスをサステイン電極(Ｚ１〜Ｚｎ)に供給することで、アドレス期間で選択された放電セルでサステイン放電が起こるようにする。
【００４７】
このようなスキャン駆動部１４０の動作について図面を参照して詳しく説明する。
【００４８】
図２は、本発明の第１実施形態によるプラズマディスプレイ装置のスキャン駆動部を示した図である。図３a及び図３ｂは、第１フレーム及び第２フレームにおける第１リセットパルス及び第２リセットパルスを示した図である。
【００４９】
前記スキャン駆動部１４０のエネルギー回収部２１０は、サステイン電圧を供給するか、又はサステイン期間にサステインパルスを供給するためのものである。エネルギー保存キャパシタ(Ｃｓ)、エネルギー保存キャパシタ(Ｃｓ)から電力供給スイッチ(Ｓ１)及び第１ダイオード(Ｄ１)、電力回収スイッチ(Ｓ２)及び第２ダイオード(Ｄ２)、第１共振インダクタ(Ｌ１)及び第２共振インダクタ(Ｌ２)、サステイン電圧供給スイッチ(Ｓ３)及び基底電圧供給スイッチ(Ｓ４)を含む。
【００５０】
エネルギー保存キャパシタ(Ｃｓ)は、供給されるか、又は回収されたエネルギーを保存する。電力供給スイッチ(Ｓ１)は、ターンオンしてエネルギー保存キャパシタ(Ｃｓ)のエネルギーを供給する。第１共振インダクタ(Ｌ１)は、電力供給スイッチ(Ｓ１)からエネルギーが供給される時にプラズマディスプレイパネル(Ｃｐ)と共振を形成する。第１ダイオード(Ｄ１)は、第１共振インダクタ(Ｌ１)から電力供給スイッチ(Ｓ１)に流れる逆電流を遮断する。サステイン電圧供給スイッチ(Ｓ３)は、スキャン電極(Ｙ)にサステイン電圧(Ｖｓ)を供給する。電力回収スイッチ(Ｓ２)は、ターンオンしてエネルギーをエネルギー保存キャパシタ(Ｃｓ)に回収する。第２共振インダクタ(Ｌ２)は、電力回収スイッチ(Ｓ２)を通じてエネルギーが回収される時にプラズマディスプレイパネル(Ｃｐ)と共振を形成する。第２ダイオード(Ｄ２)は、電力回収スイッチ(Ｓ２)から第２共振インダクタ(Ｌ２)に流れる逆電流を遮断する。基底電圧供給スイッチ(Ｓ４)は、スキャン電極(Ｙ)にグラウンドレベルの電圧(ＧＮＤ)を供給する。
【００５１】
前記リセットパルス供給部２２０は、キャパシタ(Ｃａ)及び第５スイッチ(ＳＷ５)〜第７スイッチ(ＳＷ７)を含む。キャパシタ(Ｃａ)は、電圧(Vsetup)を充電した状態でサステイン電圧供給スイッチ(Ｓ３)のターンオンによって電圧(Vsetup+Vs)を供給する。サステイン電圧供給スイッチ(Ｓ３)、第５スイッチ(ＳＷ５)及び第７スイッチ(ＳＷ７)は、ターンオンしてスキャン電極(Ｙ)にサステイン電圧(Ｖｓ)を供給する。これによってスキャン電極(Ｙ)の電圧は、図３aに示したように、グラウンドレベルの電圧(ＧＮＤ)からサステイン電圧(Ｖｓ)まで急激に上昇する。
【００５２】
第５スイッチ(ＳＷ５)がタンオフし、第６スイッチ(ＳＷ６)はターンオンする。また、サステイン電圧供給スイッチ(Ｓ３)及び第７スイッチ(ＳＷ７)はターンオン状態を維持する。これによって図３aに示したように、サステイン電圧(Ｖｓ)から電圧(Vsetup+Vs)まで漸進的に上昇する第１リセットパルス又は第２リセットパルスがスキャン電極(Ｙ)に供給される。
【００５３】
すなわち、第６スイッチ(ＳＷ６)は、アクティブ領域で動作するので、上昇勾配を有した第１リセットパルス又は第２リセットパルスが第１フレーム又は第２フレームで供給される。第１リセットパルス及び第２リセットパルスの上昇勾配は、第６スイッチ(ＳＷ６)のゲート端に連結された可変抵抗(Ｒ１)の抵抗の大きさによって決定される。言い換えると、前記制御信号生成部１３０のタイミング制御信号によって可変抵抗(Ｒ１)の抵抗の大きさが変わり、第２リセットパルスの上昇勾配は、第１リセットパルスの上昇勾配より大きい。
【００５４】
従って、第１フレーム及び第２フレームの映像データの間の変化量が臨界値より大きいと、第２フレームで供給される第２リセットパルスによって強いリセット放電が発生するので、各放電セルに均一な壁電荷が形成される。すなわち、第１フレーム及び第２フレームの映像データの間の変化量が臨界値より大きいと、第１フレームにおける壁電荷状態が第２フレームにおける壁電荷状態に影響を及ぼし得るので、第２フレームで強いリセット放電により放電セルの壁電荷が均一になる。
【００５５】
第２フレームで上昇勾配が大きくなると、リセット期間が減ってアドレス期間やサステイン期間が増加するので、アドレスマージンやサステインマージンが増加する。
【００５６】
また、図３ｂに示したように、互いに異なる最高電圧を有した第１リセットパルス及び第２リセットパルスを供給することで、各放電セルに均一な壁電荷が形成されることもできる。すなわち、第１フレームで第６スイッチ(ＳＷ６)のゲート端に第１デューティ比を有した第１タイミング制御信号(ＴＣＳ１)が供給され、サステイン電圧供給スイッチ(Ｓ３)及び第７スイッチ(ＳＷ７)はターンオン状態を維持する。第６スイッチ(ＳＷ６)がターンオンする間にサステイン電圧(Ｖｓ)から漸進的に上昇する第１リセットパルスがスキャン電極(Ｙ)に供給される。
【００５７】
第１タイミング制御信号(ＴＣＳ１)のハイレベル信号が供給される区間の間第６スイッチ(ＳＷ６)はターンオンし、ローレベル信号が供給されると、第６スイッチ(ＳＷ６)はタンオフする。第６スイッチ(ＳＷ６)がターンオンする期間の間スキャン電極(Ｙ)に供給されるので、第６スイッチ(ＳＷ６)がタンオフしてもエネルギーがプラズマディスプレイパネル(Ｃｐ)に保存されるので、スキャン電極(Ｙ)の電圧は第６スイッチ(ＳＷ６)がタンオフされる時点における電圧(V１+Vs)を維持する。
【００５８】
また、第２フレームで第６スイッチ(ＳＷ６)のゲート端に第２デューティ比を有した第２タイミング制御信号(ＴＣＳ２)が供給され、サステイン電圧供給スイッチ(Ｓ３)及び第７スイッチ(ＳＷ７)はターンオン状態を維持する。第６スイッチ(ＳＷ６)がターンオンする間にサステイン電圧(Ｖｓ)から漸進的に上昇する第２リセットパルスがスキャン電極(Ｙ)に供給される。
【００５９】
第２タイミング制御信号(ＴＣＳ１)のハイレベル信号が供給される区間の間第６スイッチ(ＳＷ６)はターンオンし、ローレベル信号が供給されると、第６スイッチ(ＳＷ６)はタンオフする。第６スイッチ(ＳＷ６)がターンオンする期間の間スキャン電極(Ｙ)に供給されるので、第６スイッチ(ＳＷ６)がタンオフしてもエネルギーがプラズマディスプレイパネル(Ｃｐ)に保存されるので、スキャン電極(Ｙ)の電圧は、第６スイッチ(ＳＷ６)がタンオフされる時点における電圧(Vsetup+Vs)を維持する。
【００６０】
図３ｂに示したように、第１フレーム及び第２フレームで第１リセットパルス及び第２リセットパルスが供給されると、第１リセットパルスによるリセット放電より強いリセット放電が第２リセットパルスによって発生するので、映像データの変化量が大きいとしても各放電セルに均一な壁電荷が形成される。
【００６１】
前記スキャン駆動部１４０の駆動パルス供給部２３０は、リセット期間及びアドレス期間にセットダウンパルス、スキャンパルス及びスキャンバイアス電圧を供給する。すなわち、前記駆動パルス供給部２３０の第１０スイッチ(ＳＷ１０)がターンオンすると、漸進的に電圧(-Vy)まで下降するセットダウンパルスがスキャン電極(Ｙ)に供給される。また、第８スイッチ(ＳＷ８)及び第１１スイッチ(ＳＷ１１)がターンオンすると、スキャンバイアス電圧(-Vy+Vsc)がスキャン電極(Ｙ)に供給され、第１１スイッチ(ＳＷ１１)がターンオン状態のまま第８スイッチがターンオフすると、電圧(-Vy)まで下降するスキャンパルスがスキャン電極(Ｙ)に供給される。
【００６２】
前記スキャン駆動部１４０のスキャンドライバー２４０は、スキャン電極(Ｙ)と連結されてスキャン電極(Ｙ)にリセットパルス、スキャンパルス、サステインパルスのような駆動パルスを供給する。
【００６３】
従って、第１フレーム及び第２フレームの映像データの間の変化量が臨界値より大きいと、第２フレームで供給される第２リセットパルスによって強いリセット放電が発生するので、各放電セルに均一な壁電荷が形成される。すなわち、第１フレーム及び第２フレームの映像データの間の変化量が臨界値より大きいと、第１フレームにおける壁電荷状態が第２フレームにおける壁電荷状態に影響を及ぼし得るので、第２フレームで強いリセット放電により放電セルの壁電荷が均一になる。
【００６４】
また、前記スキャン駆動部１４０の回路変更や部品追加なしに互いに異なるデューティ比を有したタイミング制御信号によりリセットパルスの最高電圧が変わるので、プラズマディスプレイ装置の製作時間や費用が減る。
【００６５】
図４は、第２リセットパルスが供給されるサブフィールドを示した図である。図４に示したように、前記スキャン駆動部１４０は、第２リセットパルスを第２フレームの全体サブフィールド(ＳＦ１〜ＳＦ８)のうち少なくとも一つのサブフィールド(ＳＦ２、ＳＦ４)から供給する。すなわち、前記スキャン駆動部１４０は、第２フレームの全体サブフィールドのそれぞれで第２リセットパルスを供給することもできて、第２フレームの全体サブフィールドのうち少なくとも一つで第２リセットパルスを供給することもできる。第２リセットパルスは、第１リセットパルスの上昇勾配又は最高電圧のうちの一つより大きい上昇勾配又は最高電圧を有する。例えば、図４に示したように、第２フレームのＳＦ２においては、第１フレームの第１リセットパルスの最高電圧より大きい最高電圧を有した第２リセットパルスが供給され、第２フレームのＳＦ２においては、第１フレームの第１リセットパルスの上昇勾配より大きい上昇勾配を有した第２リセットパルスが供給されることができる。
以上、説明した内容を介して当業者であれば本発明の技術事象を外れない範囲で変更が可能であり、本発明の技術的範囲は、明細書の詳細な説明に記載された内容に限るのではなく、特許請求範囲により定めるはずである。
【図面の簡単な説明】
【００６６】
【図１】本発明の第１実施形態によるプラズマディスプレイ装置を示した図である。
【図２】本発明の第１実施形態によるプラズマディスプレイ装置のスキャン駆動部を示した図である。
【図３ａ】第１フレーム及び第２フレームにおける第１リセットパルス及び第２リセットパルスを示した図である。
【図３ｂ】第１フレーム及び第２フレームにおける第１リセットパルス及び第２リセットパルスを示した図である。
【図４】第２リセットパルスが供給されるサブフィールドを示した図である。
【符号の説明】
【００６７】
１００  プラズマディスプレイパネル
１１０  データ変化量計算部
１２０  比較部
１３０  制御信号生成部
１４０  スキャン駆動部
１５０  アドレス駆動部
１６０  サステイン駆動部
２１０  エネルギー回収部
【図１】
2007122063.tif 000003
【図２】
2007122063.tif 000004
【図３ａ】
2007122063.tif 000005
【図３ｂ】
2007122063.tif 000006
【図４】
2007122063.tif 000007